(57)【要約】【課題】背もたれ、座部および肘掛部をスムーズに、かつ、無段階に折曲可能とすることにより、操作の際の利便性を高めるとともに、着座中のリラックス感をより向上した座椅子を提供する。【解決手段】臀部が配置される座部１１と、座部１１に、無段階の角度調節器１ａを介して角度調節自在に連結された背もたれ１２と、からなる座椅子１０である。座部１１の側面に、座部の先方１４を床面に対して下方へ折曲可能とする無段階の角度調節器１ｂが装着されている。【選択図】図１
0003187631.tif 000002
【実用新案登録請求の範囲】
【請求項１】
臀部が配置される座部と、該座部に、無段階の角度調節器を介して連結された背もたれと、からなる座椅子であって、前記座部の側面に、該座部の先方を床面に対して下方へ折曲可能とする無段階の角度調節器が装着されていることを特徴とする座椅子。
【請求項２】
前記背もたれの側面に、該背もたれの先方を前記座部方向へ折曲可能とする無段階の角度調節器が装着されている請求項１記載の座椅子。
【請求項３】
前記座部の側面に肘掛部が立設されるとともに、該肘掛部の側面に、該肘掛部の先方を該座部の外方向へ折曲可能とする無段階の角度調節器が装着されている請求項１または２記載の座椅子。
【考案の詳細な説明】
【技術分野】
【０００１】
本考案は座椅子に関し、特には、背もたれ、座部および肘掛部をスムーズに、かつ、無段階に折曲することができる座布団に関する。
【背景技術】
【０００２】
臀部が配置される座部と、かかる座部に、ラチェット金具を介して角度調節自在に連結された背もたれとからなる座椅子は、着座感が良好であり、かつ、移動が容易なため、畳上や床上に載置して、幅広く使用されている。
【０００３】
また、座椅子に係る往来技術として、本出願人は、特許文献１において、少ない器材で背もたれの微妙な角度調節を行うことができ、着座中における高い利便性や優れたリラックス感を得ることができる座椅子を提案している。上掲特許文献１の座椅子は、座部、背もたれ、肘掛および底部底面に装着された回転支持台とを備え、座椅子の座部と背もたれを、７段以上の角度調節可能なラチェット金具で連結したものである。
【先行技術文献】
【特許文献】
【０００４】
【特許文献１】登録実用新案第３１０４５６２号公報（実用新案登録請求の範囲等）
【考案の概要】
【考案が解決しようとする課題】
【０００５】
上掲特許文献１に記載された座椅子は、座部と背もたれとを、７段以上の角度調節可能なラチェット金具で連結したことにより、少ない器材で背もたれの微妙な角度調節を行うことができ、優れたリラックス感を得ることができる。しかしながら、上記ラチェット金具は、角度調節の際にラチェット歯と爪片とが順次係合されるため、係合音が発生して気になるとともに、微妙な角度調節を行うには限界があった。また、座部に対し背もたれのみが角度調節されるため、着座中における高い利便性を得ることはできなかった。
【０００６】
そこで本考案の目的は、上記問題を解消し、背もたれ、座部および肘掛部をスムーズに、かつ、無段階に折曲可能とすることにより、操作の際の利便性を高めるとともに、着座中のリラックス感をより向上した座椅子を提供することにある。
【課題を解決するための手段】
【０００７】
上記課題を解決するために、本考案の座椅子は、臀部が配置される座部と、該座部に、無段階の角度調節器を介して連結された背もたれと、からなる座椅子であって、前記座部の側面に、該座部の先方を床面に対して下方へ折曲可能とする無段階の角度調節器が装着されていることを特徴とするものである。
【０００８】
本考案の座椅子においては、前記背もたれの側面に、該背もたれの先方を前記座部方向へ折曲可能とする無段階の角度調節器が装着されていることが好ましい。
【０００９】
また、本考案の座椅子においては、前記座部の側面に肘掛部が立設されるとともに、該肘掛部の側面に、該肘掛部の先方を該座部の外方向へ折曲可能とする無段階の角度調節器が装着されていることが好ましい。
【考案の効果】
【００１０】
本考案の座椅子によれば、座部の側面に、座部の先方を床面に対して下方へ折曲げて角度調節を可能とする無段階の角度調節器を装着したことにより、座部を任意の角度に容易に上方に引き上げることができ、着座の際に膝を好適な角度に折り曲げておくことができる。
【００１１】
また、背もたれの側面に、背もたれの先方を座部方向へ折曲可能とする無段階の角度調節器を装着したことで、着座中の読書やテレビ鑑賞の際の頭部の角度を任意に調節することができる。
【００１２】
さらに、座部の側面に肘掛部を立設するとともに、肘掛部の側面に、肘掛部の先方を座部の外方向へ折曲可能とする無段階の角度調節器を装着したことで、着座の際に、好適な位置に両肘を掛けておくことができ、リラックス感を向上させることができる。
【図面の簡単な説明】
【００１３】
【図１】本考案の一実施形態に係る座椅子の斜視図である。
【図２】本考案の座椅子に装着される角度調節器の斜視図である。
【図３】本考案の座椅子に装着される角度調節器の一部を断面で示す側面図である。
【図４】本考案の座椅子の使用状態の一例の、背もたれを引き上げた状態の側面図である。
【図５】本考案の座椅子の使用状態の他の例の、座部を引き上げた状態の側面図である。
【図６】本考案の座椅子の使用状態のさらに他の例の、背もたれを折り曲げた状態の側面図である。
【図７】本考案の座椅子の使用状態のさらに他の例の、肘掛部を折り曲げた状態の正面図である。
【考案を実施するための形態】
【００１４】
以下、本考案における座椅子の実施の形態について、図面を参照しながら説明する。
図１に示す座椅子１０は、座部１１、背もたれ１２および肘掛部１３を備えている。これらの座部１１、背もたれ１２および肘掛部１３は、形状化された中空状のパイプを芯材とし、かかるパイプに緩衝材２０を被覆することにより形成される。また、座部１１の両側面に一対の肘掛部１３を設けたことにより、着座中のくつろぎ感が得られるとともに、外観的な豪華さを醸し出すことができる。
【００１５】
また特に、座椅子１０の要所には、角度調節器１が装着されている。この角度調節器１は、図２および図３に示すように、巻締め部材３を備えた第１アーム２と、回転軸部６を備えた第２アーム５と、を具備する。回転軸部６は、第２アーム５に一体回転可能に設けられており、回転軸部６の軸線方向視において、巻締め部材３の一端部３ａおよび他端部３ｂは、互いに離間して第１アーム２に設けられている。また、第１アーム２と第２アーム５とは、回転軸部６の外周面に巻締め部材３の巻締め部４が巻かれた状態で、第２アーム５が回転軸部６を中心に第１アーム２に対して相対的に回転可能になるように連結されている。第２アーム５の正回転方向の回転動作により回転軸部６の外周面と巻締め部材３の巻締め部４の内周面との接触部に発生する正回転方向の摩擦力が、巻締め部材３に回転軸部６の外周面に対する緩め方向に作用することにより、回転軸部６の外周面への巻締め部材３の巻締め力が減少して、第２アーム５の正回転方向の回転が許容されるものとなる。さらに、第２アーム５の逆回転方向の回転動作により上記接触部に発生する逆回転方向の摩擦力が、巻締め部材３に回転軸部６の外周面に対する巻締め方向に作用することにより、回転軸部６の外周面への巻締め部材３の巻締め力が増加して、第２アーム５の回転が阻止されるものとなる。
【００１６】
上述の構造により、角度調節器１は、第１アーム２と第２アーム５とに装着された部材を無段階状態で折曲させることができる。なお、上記構造の角度調節器１は、特許第５２３２３１７号として登録された技術である。
【００１７】
図１に示す本考案の座椅子１０は、臀部が配置される座部１１と背もたれ１２とからなり、座部１１と背もたれ１２との連結部分には、背もたれ１２を座部１１方向に対して無段階に折曲できる構造の一対の角度調節器１ａが装着されている。
【００１８】
座部１１と背もたれ１２との連結部分に角度調節器１ａを装着することにより、図４に示すように、背もたれ１２を座部１１に対して、任意角度に無段階に、かつ、スムーズに起立させることができる。なお、背もたれ１２を一定角度以上に屈曲させることで、角度調節器１ａのロック状態が解除され、背もたれ１２を床面に対し平行な状態に戻すことができる。
【００１９】
また、座部１１の側面には、座部の先方１４を床面に対して下方へ折曲可能とする一対の角度調節器１ｂが装着されている。座部１１の側面に角度調節器１ｂを装着することで、図５に示すように、座部の角度調節器１ｂが装着された部位を上方に引き上げることができ、着座の際に膝を好適な角度に折り曲げておくことができる。
【００２０】
さらに、背もたれ１２の側面には、背もたれの先方１５を座部１１方向へ折曲できる一対の角度調節器１ｃが装着されている。背もたれ１２の側面に角度調節器１ｃを装着することにより、図６に示すように、背もたれの先方１５を座部１１方向へ折曲することができ、着座中の読書やテレビ鑑賞の際の頭部を好適に保持することができる。
【００２１】
さらにまた、座部１１の側面には一対の肘掛部１３が立設されており、肘掛部１３の側面には、肘掛部の先方１６を座部の方向へ折曲できる一対の角度調節器１ｄが装着されている。肘掛部１３の側面に角度調節器１ｄを装着することにより、図７に示すように、着座の際に、好適な位置に両肘を掛けておくことができ、リラックス感を向上させることができる。なお、角度調節器１ｄは、肘掛部１３の基部に装着することもできる。
【００２２】
座部１１と背もたれ１２との連結部分に角度調節器１ａを、座部１１の側面に角度調節器１ｂを、背もたれ１２の側面に角度調節器１ｃを、さらに肘掛部１３の側面に角度調節器１ｄをそれぞれ装着することにより、それぞれ座部１１、背もたれ１２および肘掛部１３を任意角度に無段階に、かつ、スムーズに折曲させることができる。そのことにより、操作性を向上させるとともに、着座中における快適性を高めることができる。
【符号の説明】
【００２３】
１    角度調節器
１ａ  角度調節器
１ｂ  角度調節器
１ｃ  角度調節器
１ｄ  角度調節器
２    第１アーム
３    巻締め部材
３ａ  一端部
３ｂ  他端部
４    巻締め部
５    第２アーム
６    回転軸部
１０  座椅子
１１  座部
１２  背もたれ
１３  肘掛部
１４  座部の先方
１５  背もたれの先方
１６  肘掛部の先方
２０  緩衝材
【図１】
0003187631.tif 000003
【図２】
0003187631.tif 000004
【図３】
0003187631.tif 000005
【図４】
0003187631.tif 000006
【図５】
0003187631.tif 000007
【図６】
0003187631.tif 000008
【図７】
0003187631.tif 000009